(57)【要約】【課題】            立設した一対の当て板が、コンクリート打設によっても布基礎の巾寸法間隔を保持でき、ベース基礎と布基礎とを同時に構築することができるベタ基礎型枠を提供する。【解決手段】        地業に配置した当て板支持部材の嵌合部に、その下端を嵌合して立設した一対の当て板は、保持部材で布基礎の巾間隔に保持でき、また、立設した一対の当て板の外側面には前記保持部材に支持されて横バタが当接され、さらに、立設した一対の当て板の上端間には巾止め部材が掛け渡されている。【選択図】          図１
0003132632.tif 000002
【実用新案登録請求の範囲】
【請求項１】
布基礎を成型しようとする部位の地業に配置され、成型しようとする布基礎の巾寸法の間隔位置に当て板の下端部を受け容れて保持する嵌合部を備える当て板支持部材と、この当て板支持部材の嵌合部にその下端部が嵌入して支持され、成型しようとする布基礎の巾寸法間隔で立設する一対の当て板と、この立設した一対の当て板を成型しようとする布基礎の巾寸法間隔に保持する保持部材と、この保持部材に支持され、立設した当て板の外側面に横方向に当接してコンクリート打設により当て板にかかる荷重に対抗する横バタと、前記立設した一対の当て板の上端間に掛け渡され、立設した一対の当て板が前記所定間隔を維持するように補強する巾止め部材、とを具備することを特徴とするベタ基礎型枠。
【請求項２】
前記当て板支持部材は、地業に配置する台座板と、この台座板の一端側に設けられ当て板の下端部を地業に接地した状態で保持する嵌合部と、台座板の他端側より立ち上がり、地業の上部に形成するベース基礎の高さと略同じ高さの支脚部と、この支脚部の頂部に設けられ当て板の下端部を保持する嵌合部、とで形成されていることを特徴とする請求項１記載のベタ基礎型枠。
【請求項３】
前記当て板支持部材は、地業に配置する台座板と、この台座板の両端より成型しようとする布基礎の巾寸法間隔で立ち上がり、地業の上部に形成するベース基礎の高さと略同じ高さの支脚部と、この両支脚部の頂部に設けられ当て板の下端部を保持する嵌合部、とで形成されていることを特徴とする請求項１記載のベタ基礎型枠。
【請求項４】
前記保持部材は、立設した一対の当て板間に配置され、当て板を成型しようとする布基礎の巾寸法間隔に規制する間隔規制管と、立設した一対の当て板間に該間隔規制管を介して貫通されるボルトセパレータと、この立設した一対の当て板間を貫通したボルトセパレータの、当て板より突出した両端に、立設した両方の当て板の外側よりネジ結合または挿入される横バタ支持体と、一方側の横バタ支持体の外側よりボルトセパレータに螺合するナット体、とで構成されていることを特徴とする請求項１記載のベタ基礎型枠。
【請求項５】
前記横バタ支持体は、中間に段部を形成し、この段部の一端より立上がり部、他端より垂下部を設けた腰掛け状であって、貫通する貫通孔および螺孔が設けられていることを特徴とする請求項４記載のベタ基礎型枠。
【請求項６】
前記保持部材は、立設した一対の当て板間に配置され、当て板を成型しようとする布基礎の巾寸法間隔に規制する間隔規制管と、立設した一対の当て板間に該間隔規制管を介して貫通され、一端に横バタ支持体が固着されたボルトセパレータと、この立設した一対の当て板間を貫通したボルトセパレータの、当て板より突出した端部に当て板の外側より挿入またはネジ結合される横バタ支持体と、この横バタ支持体の外側よりセパレータに螺合するナット体、とで構成されていることを特徴とする請求項１記載のベタ基礎型枠。
【請求項７】
前記ボルトセパレータに挿入またはネジ結合される横バタ支持体は、中間に段部を形成し、この段部の一端より立上がり部、他端に垂下部を設けた腰掛け状であって、貫通する貫通孔および螺孔が設けられており、前記ボルトセパレータの一端に固着される横バタ支持体は、中間に段部を形成し、この段部の一端より立上がり部、他端より垂下部を設けて腰掛け状である請求項６記載のベタ基礎型枠。
【請求項８】
横バタは、前記保持部材の横バタ支持体に支持されて配設されていることを特徴とする請求項４または６に記載のベタ基礎型枠。
【考案の詳細な説明】
【技術分野】
【０００１】
この考案は、建物の基礎を施工するのに使用するベタ基礎型枠に関し、特に、ベース基礎（底盤）に布基礎（立上がり部）とを同時に構築することができるベタ基礎型枠に関する。
【背景技術】
【０００２】
建物のベタ基礎型枠は、ベース基礎（底盤）とそのベース基礎上に立設した布基礎（立上がり部）とからなる。
従来、このような建物の基礎は、図１２（ａ）〜（ｅ）に示すような工程で施工していた。即ち、先ず同図（ａ）から（ｂ）に示すように基礎を形成すべき地業１６に鉄筋１５を配筋し、次に同図（ｃ）に示すようにコンクリートを打設してベース基礎１７を形成し、一定の養生期間が経過し、打設したコンクリートが固化した後に、同図（ｄ）に示すようにそのベース基礎１７の上に布基礎用の型枠１９を配置し、最後に同図（ｅ）に示すように、この型枠１９にコンクリートを打設することによって布基礎１８Ａ、１８Ｂを構築していた。
このようなベース基礎と布基礎を別々に形成する基礎の構築では、ベース基礎のコンクリートを打設した後、該コンクリートが固化するまでの所定の養生期間が必要となるばかりでなく、ベース基礎の構築と布基礎の構築との２度の手間がかかるので、施工に時間と手間がかかり、コスト高ともなる課題がある。また、打設したベース基礎のコンクリートが固化した後に、そのベース基礎の上に布基礎のコンクリートを打設して固化させるために、ベース基礎と布基礎との接合面（境界面）での両者の結合が弱く、継ぎ目から水が浸入する、等の欠陥部となり易い課題がある。
【０００３】
そこで、従来、このような課題を解決するものとして、ベタ基礎一体打ち型枠が提案されている（例えば、特許文献１および２参照）。
特許文献１のベタ基礎一体打ち型枠は、基礎敷板、外側基礎敷板および内側基礎敷板を配置し、その敷板のパネル嵌込溝にパネルを嵌め込むことによって型枠が形成できて、ベース基礎と布基礎が同時に一体打ちできるものである。
特許文献２は、帯状部材に適切な寸法と形状の型枠受け部と基礎寸法出し部を兼ねたコンクリート差し込み部を有する型枠止め金具であって、この型枠止め金具を使用して型枠を形成することによってベタ基礎の一体打ちができるものである。
【特許文献１】特開平８−１０５０６０号公報
【特許文献２】特開２０００−２２６８５６号公報
【考案の開示】
【考案が解決しようとする課題】
【０００４】
従来のベタ基礎一体打ち型枠や型枠止め金具（以下、これらを単に一体打ち型枠と称す。）は、ベース基礎と布基礎が同時に一体打ちできるもので、好ましいものである。
しかしながら、前記したような従来のベタ基礎の一体打ち型枠の当て板（パネル）は、基礎敷板のパネル嵌合溝に下端を嵌め込み立設したり、型枠止め金具の型枠受け部に嵌め込み立設して、型枠を形成してあるだけなので、布基礎部分の型枠は、コンクリート打設時には、布基礎巾寸法を維持できない。従って、これらの型枠では立設した当て板（パネル）が、布基礎巾寸法を保持するような支持手段が必要であるが、これらの技術は、何ら記載されていないので、施工性に課題がある。
また、特許文献１では、パネルは再使用せず打ち放しであるので、その分無駄が多く経済性に劣る課題もある。
この考案は、このような点に鑑み前記課題を解決したベース基礎（底盤）と布基礎（立上がり部）とを同時に構築することができるベタ基礎型枠の提供を目的とする。
【課題を解決するための手段】
【０００５】
前記課題を解決するため、この考案のベタ基礎型枠は、布基礎を成型しようとする部位の地業に配置され、成型しようとする布基礎の巾寸法の間隔位置に当て板の下端部を受け容れて保持する嵌合部を備える当て板支持部材と、この当て板支持部材の嵌合部にその下端部が嵌入して支持され、成型しようとする布基礎の巾寸法間隔で立設する一対の当て板と、この立設した一対の当て板を成型しようとする布基礎の巾寸法間隔に保持する保持部材と、この保持部材に支持され、立設した当て板の外側面に横方向に当接してコンクリート打設により当て板にかかる荷重に対抗する横バタと、前記立設した一対の当て板の上端間に掛け渡され、立設した一対の当て板が前記所定間隔を維持するように補強する巾止め部材、とを具備することを特徴とする。
【０００６】
これにより一対の当て板は、地業に配置した当て板支持部材の嵌合部に、その下端を嵌入して立設することができる。この時、嵌合部は、布基礎の巾寸法間隔で設けられているので、当て板は布基礎の巾寸法の間隔で立設される。この立設された一対の当て板は、保持部材で布基礎の巾間隔に保持することができると共に、立設された一対の当て板の外側面には保持部材に支持された横バタが横方向に当接され、また、立設した一対の当て板の上端間には巾止め部材が掛け渡されて、コンクリートの打設による荷重に対抗できる。従って、立設した一対の当て板は、コンクリート打設によっても布基礎の巾寸法間隔を保持することができるベタ基礎型枠となる。
【０００７】
また、この考案の前記当て板支持部材は、地業に配置する台座板と、この台座板の一端側に設けられ当て板の下端部を地業に接地した状態で保持する嵌合部と、台座板の他端側より立ち上がり、地業の上部に形成するベース基礎の高さと略同じ高さの支脚部と、この支脚部の頂部に設けられ当て板の下端部を保持する嵌合部、とで形成されていることを特徴とする。
【０００８】
これにより当て板支持部材は、台座板を地業に載置して設置することができる。また、一方の嵌合部は台座板の一端側に当て板の下端部を地業に接地した状態で保持できるように設けられ、他方の嵌合部は台座板の他端側より地業の上部に形成するベース基礎の高さと略同じ高さに立ち上がった支脚部の頂部に設けられているので、一方の当て板は一方の嵌合部にその下端を嵌入して立設することで地業に接地した状態で立設でき、他方の当て板は他方の嵌合部にその下端を嵌入して立設することでベース基礎の高さ位置から立設することができる。従って、地業に接地した状態で立設した当て板を外側とし、ベース基礎の高さ位置から立設した当て板を内側とすると、コンクリート打設によって、布基礎は外側が地業に接した状態となり、内側はベース基礎の高さでベース基礎と連続するので、外回り用ベタ基礎型枠とすると、外回りの布基礎とベース基礎とを一体打ちすることができる。この時の一方と他方の嵌合部の間隔は、成型しようとする布基礎の巾寸法で設けられているので、一対の当て板も布基礎の巾寸法間隔で立設されていることになり、その結果、完成する布基礎も所定巾寸法となる。
【０００９】
また、この考案の前記当て板支持部材は、地業に配置する台座板と、この台座板の両端より成型しようとする布基礎の巾寸法間隔で立ち上がり、地業の上部に形成するベース基礎の高さと略同じ高さの支脚部と、この両支脚部の頂部に設けられ当て板の下端部を保持する嵌合部、とで形成されていることを特徴とする。
【００１０】
これにより当て板支持部材は、台座板を地業に載置して設置することができる。また、嵌合部は、台座板の両端より地業の上部に形成するベース基礎の高さと略同じ高さに立上がる支脚部の頂部に設けられているので、一対の当て板は、嵌合部にその下端を嵌合して立設することで、ベース基礎の高さ位置から立設することができる。従って、この当て板間にコンクリートを打設すると、布基礎は下端両側がベース基礎と連続するので、中通り（間仕切り）用型枠とすると、中通り布基礎（間仕切り布基礎）とベース基礎とを一体打ちすることができる。この時の両方の嵌合部は、成型しようとする布基礎の巾寸法間隔で設けられているので、一対の当て板も布基礎の巾寸法間隔で立設され、結果完成する布基礎も所定巾寸法となる。
【００１１】
また、この考案の前記保持部材は、立設した一対の当て板間に配置され、当て板を成型しようとする布基礎の巾寸法間隔に規制する間隔規制管と、立設した一対の当て板間に該間隔規制管を介して貫通されるボルトセパレータと、この立設した一対の当て板間を貫通したボルトセパレータの、当て板より突出した両端に、立設した両方の当て板の外側よりネジ結合または挿入される横バタ支持体と、一方側の横バタ支持体の外側よりボルトセパレータに螺合するナット体、とで構成されていることを特徴とする。
【００１２】
これにより立設した一対の当て板間には間隔規制管を介在させることによって、当て板間隔を成型しようとする布基礎の巾寸法間隔に規制することができる。また、立設した一対の当て板間には、当て板間に介在させた間隔規制管を通してボルトセパレータを貫通させ、この貫通したボルトセパレータの、当て板より外側に突出した両端より横バタ支持体を当て板に当接するまで螺合または挿入し、一方側の横バタ支持体より外側に突出したボルトセパレータの端部よりナット体を螺合して締め付けることによって、間隔規制管で一対の当て板間隔を規制した状態で一対の当て板が保持されると共に、立設した当て板の外側面に当接した状態で横バタ支持体が取り付けられる。従って、横バタは、この横バタ支持体に装着することができる。
【００１３】
また、この考案の前記横バタ支持体は、中間に段部を形成し、この段部の一端より立上がり部、他端より垂下部を設けた腰掛け状であって、貫通する貫通孔および螺孔が設けられていることを特徴とする。
これにより横バタ支持体は、貫通孔および螺孔でセパレータに挿入または螺合して取り付けることができるし、取り付けた横バタ支持体には、段部に横バタを載置することによって装着することができる。
【００１４】
また、この考案の前記保持部材は、立設した一対の当て板間に配置され、当て板を成型しようとする布基礎の巾寸法間隔に規制する間隔規制管と、立設した一対の当て板間に該間隔規制管を介して貫通され、一端に横バタ支持体が固着されたボルトセパレータと、この立設した一対の当て板間を貫通したボルトセパレータの、当て板より突出した端部に当て板の外側よりネジ結合または挿入される横バタ支持体と、この横バタ支持体の外側よりセパレータに螺合するナット体、とで構成されていることを特徴とする。
この場合の前記ボルトセパレータにネジ結合または挿入される横バタ支持体は、中間に段部を形成し、この段部の一端より立上がり部、他端より垂下部を設けた腰掛け状であって、貫通する貫通孔および螺孔が設けられており、前記ボルトセパレータの一端に固着される横バタ支持体は、中間に段部を形成し、この段部の一端より立上がり部、他端より垂下部を設けた腰掛け状である。
【００１５】
この保持部材は、ボルトセパレータの一端に横バタ支持体が固着されている場合であるので、立設した一対の当て板間を間隔規制管を介して貫通したボルトセパレータには、一端側だけに横バタ支持体の貫通孔を挿入させればよく、ナット体での締め付けも、この横バタ支持体から行うことになる。従って、この場合の横バタ支持体は、貫通孔および螺孔があるか、無いかの相違であって他は同じ形状となっている。この横バタ支持体も、段部に横バタ支持体を載置して装着することができる。
【００１６】
なお、この考案で地業とは、地盤および捨てコンクリートを含む。
【考案の効果】
【００１７】
この考案のベタ基礎型枠によれば、次のような効果を奏する。
（１）ベース基礎（底盤）と布基礎（立上がり基礎）とを略同時にコンクリート打設して構築することができる。
（２）従って、従来のようにベース基礎の構築と布基礎の構築との２度の手間がかからず、しかもベース基礎の養生期間の後に布基礎を構築することもないので、施工期間を短縮できるし、施工費用も低コストとなる。
【００１８】
（３）ベース基礎と布基礎とを略同時に施工できるので、即ち、ベース基礎の打設したコンクリートが固化しないうちに布基礎のコンクリートを打設できるので、ベース基礎と布基礎とに打ち継ぎ（継目）が生ずることなく互いに強固に結合するので、強度の高いベタ基礎型枠を構築できる。
【００１９】
（４）誰でも簡単に組み付けて型枠を形成できるし、組み付けた型枠は、成型しようとする布基礎の巾寸法となるので、施工が容易にできる。
（５）組み付けた型枠は、間隔規制管、保持部材および横ベタ等でしっかりと保持されるので、所定通りのベタ基礎を正確に構築することができる。
【考案を実施するための最良の形態】
【００２０】
以下、この考案の実施の形態を図面と共に詳細に説明する。図１は、この考案の実施の形態を示すベタ基礎型枠の分解斜視図である。
同図に示すようにこのベタ基礎型枠は、布基礎を成型しようとする部位の地業に配置され、成型しようとする布基礎の巾寸法の間隔位置に当て板６の下端部を受け容れて保持する嵌合部４、５を備える当て板支持部材１と、この当て板支持部材１の嵌合部４、５にその下端部が嵌入して支持され、成型しようとする布基礎の巾寸法で立設する一対の当て板６、６と、この立設した一対の当て板６、６を成型しようとする布基礎の巾寸法間隔に保持する保持部材８と、この保持部材８に支持され、立設した当て板６、６の外側面に横方向に当接してコンクリート打設により当て板６、６に加わる荷重に対抗する横バタ１３と、前記立設した一対の当て板６、６の上端間に掛け渡され、立設した一対の当て板６、６が前記所定間隔を維持するように補強する巾止め部材１４、とを具備する。
【００２１】
当て板支持部材１は、図９に示すような外回り布基礎１８Ａを形成する型枠２０としての当て板支持部材１Ａと、図１０に示すような間仕切布基礎（中通り布基礎）１８Ｂを形成する型枠３０としての当て板支持部材１Ｂとを備える。
【００２２】
図２は、外回り布基礎１８Ａを形成する型枠２０としての当て板支持部材１Ａを示す斜視図であり、図３は、間仕切布基礎（中通り布基礎）１８Ｂを形成する型枠３０としての当て板支持部材１Ｂを示す斜視図である。
当て板支持部材１Ａは、図２に示すように地業１６に設置する台座板２と、この台座板２の一端側に設けられ、一方の当て板６の下端部を地業１６に接地した状態で保持する嵌合部４と、台座板２の他端側より立ち上がり地業１６の上部に形成するベース基礎１７の高さと略同じ高さの支脚部３と、この支脚部３の頂部に設けられ、他方の当て板６の下端部を保持する嵌合部５、とで形成されている。図１では当て板支持部材１としてこの当て板支持部材１Ａで示している。
【００２３】
当て板支持部材１Ｂは、図３に示すように地業１６に設置する台座板２と、この台座板２の両端より成型しようとする布基礎の巾寸法間隔で立ち上がり、地業１６の上部に形成するベース基礎１７の高さと略同じ高さの支脚部３、３と、この両支脚部３、３の頂部に設けられ、当て板６、６の下端部を保持する嵌合部４０、５０、とで形成されている。
前記当て板支持部材１Ａ、１Ｂの嵌合部４、５、４０、５０は、断面凵形状であって、当て板６の下端部が嵌入され、当て板６を支持するようになっている。
【００２４】
当て板支持部材１Ａ、１Ｂの台座板２は、形成しようとする布基礎の巾寸法と略同じ長さとなっている。この台座板２には、当て板支持部材１Ａ、１Ｂを地業１６に設置して型枠として組み付けるときに、地業１６に固定するためのピン孔２ａが穿設されている。このピン孔２ａよりピン等の固定具を地業１６に打ち込んで固定できる。このピン孔２ａに代えて台座板２の下面より切り起し片を下方に突設し、この切り起こし片を地業に嵌入するようにしてもよい。
【００２５】
保持部材８は、図１および図４に示すように立設した一対の当て板６、６間に配置され、当て板６、６間隔を成型しようとする布基礎の巾寸法間隔に規制する間隔規制管９と、立設した一対の当て板６、６間に該間隔規制管９を介して貫通されるボルトセパレータ１０と、この立設した一対の当て板６、６間を貫通したボルトセパレータ１０の、当て板６、６より突出した両端に、立設した両方の当て板６、６の外側よりネジ結合または挿入される横バタ支持体１１と、一方側の横バタ支持体１１の外側よりボルトセパレータ１０に螺合するナット体１２、とで構成されている。一対の当て板６、６には、当て板支持部材１Ａ、１Ｂの嵌合部４、５、４０、５０に嵌入して立設したとき互いに同じ高さとなる位置に、ボルトセパレータ１０が貫通する孔７が設けられている（図１参照）。
【００２６】
本例の横バタ支持体１１は、図１および図４に示すように中間に段部１１ａを形成し、この段部１１ａの一端より立ち上がり部１１ｂ、他端より垂下部１１ｃを設けた腰掛け状であって、段部１１ａの構成部材に螺孔１１ｄおよび貫通孔１１ｅが貫通されている。
この横バタ支持体１１とボルトセパレータ１０は、本例では別々になっており、一対の当て板６、６を貫通したボルトセパレータ１０に、当て板６、６の外側より螺合および挿入するようになっているが、図５に示すように一方の横バタ支持体１１はボルトセパレータ１０の一端に固着されており、一対の当て板６、６を貫通したボルトセパレータ１０の一端側にのみに他方の横バタ支持体１１を挿入するようにしてもよい。図５では一方の横バタ支持体１１の孔１１ｅに挿入されたボルトセパレータ１０の端部が溶接１０ａされて、一方の横バタ支持体１１がボルトセパレータ１０に固着されている場合を示している。
【００２７】
また、前記巾止め部材１４は、図１に示すように部材本体１４ａの両端に、立設した一対の当て板６、６の間隔で、当て板６の上端部に係合する係合部１４ｂが設けられて構成され、巾止め部材１４は、この係合部１４ｂ、１４ｂを立設した一対の当て板６、６の上端部に係合することによって、立設した一対の当て板６、６間に掛け渡される。係合部１４ｂは、下向きのコ字状に形成され、当て板６の上端部に嵌合するようになっている。
【００２８】
次に、上記のように構成されたベタ基礎型枠の組み立て工程を説明する。図６は、ベタ基礎型枠の組み立て工程を工程順（ａ）（ｂ）（ｃ）（ｄ）（ｆ）（ｇ）に示す説明斜視図である。外回り用型枠２０を形成するときは、当て板支持部材１として当て板支持部材１Ａを、間仕切用型枠（中通り型枠）３０を形成するときは、当て板支持部材１として当て板支持部材１Ｂを、使用するだけであって、型枠の組み立て工程は同じであるので、本例では外回り用型枠２０の組み立て工程で説明する。図６は、外回り用型枠２０の組み立て工程を示している。
【００２９】
まず、図６（ａ）に示すように外回り用布基礎を構築する位置に沿った地業１６上に、当て板支持部材１Ａを設置する。この当て板支持部材１Ａの設置は、ピン孔２ａに固定具を打ち込んで固定するのが好ましい
次に、同図（ｂ）に示すように設置した当て板支持部材１Ａの嵌合部４、５に当て板６、６の下端部を嵌入して平行に立設する。次に同図（ｃ）に示すようにこの立設した一対の当て板６、６間に、当て板６の孔７の位置に両端を合わせて間隔規制管９を介在させる。この間隔規制管９の長さは、成型しようとする布基礎の巾寸法に合わせた長さである。従って、立設した一対の当て板６、６間の間隔は、成型しようとする布基礎の巾寸法に規制される。
次に、同図（ｃ）から（ｄ）に示すように、立設した一方の当て板６の外側より当て板６の孔からボルトセパレータ１０を挿入し、間隔規制管９を挿通し立設した他方の当て板６の孔７から外出し、立設した一対の当て板６、６間を貫通させる。
次に、同図（ｄ）から（ｅ）に示すように貫通して突出させたボルトセパレータ１０の一端側には、一方の横バタ支持体１１を螺孔１１ｄにより螺合して取り付け、他端側には、他方の横バタ支持体１１を貫通孔１１ｅによりボルトセパレータ１０の端部が外出するまで挿入して取り付ける。
次に、同図（ｅ）から（ｆ）に示すように前記横バタ支持体１１を貫通して突出させたボルトセパレータ１０の端部には、横バタ支持体１１の外側に当接した状態にナット体１２を螺合する。このナット体１２の締め付けにより横バタ支持体１１を介して一対の当て板６、６を外側から押圧した格好で保持し、当て板６、６は間隔規制管９の端面に当接して所定の間隔（成型しようとする布基礎の巾寸法間隔）を保持して保形される。最後に、同図（ｆ）から（ｇ）に示すように立設した一対の当て板６、６の上端部間に、巾止め部材１４を掛け渡すと共に、取り付けた横バタ支持体１１の段部１１ａに横バタ１３を載置して外回り用型枠２０の形成が完了する。
【００３０】
間仕切用型枠（中通り型枠）３０は、前記外回り用型枠２０の当て板支持部材１Ａに代えて、当て板支持部材１Ｂを使用して地業１６の成型しようとする間仕切布基礎（中通り布基礎）１８Ｂの構築位置に設置すればよく、組立工程は、前記外回り用型枠２０と同様である。
なお、型枠２０、３０の設置位置には、図７、図８、図９、図１０に示すように鉄筋１５が配設される。
このようにして完成したベタ基礎型枠の一例が、図７に示されている。しかして、地業１６のベース基礎１７のコンクリート打設を施工すると共に、このように完成した外回り用型枠２０および間仕切用型枠（中通り型枠）にコンクリートを打設する。この型枠２０および３０によれば、ベース基礎１７のコンクリート打設と、外回り用型枠２０および間仕切用型枠３０へのコンクリート打設を同時に行うことができる。少なくともベース基礎１７の打設したコンクリートが固化しないうちに打設することができる。このようにコンクリートを打設した外回り用型枠２０の斜視図が図８に示され、断面図が図９に示されている。また、コンクリートを打設した間仕切用型枠（中通り型枠）３０の断面図が図１０に示されている。
【００３１】
図８乃至図１０に示すようにコンクリートを打設し、該コンクリートが固化したら、型枠２０、３０としての当て板６、６を取り外すことによって外回り布基礎１８Ａおよび間仕切布基礎（中通り布基礎）１８Ｂが完成する。この型枠２０および３０の取り外しは、まず、巾止め部材１４を当て板６、６の上端部より取り外すと共に、横バタ１３を横バタ支持体１１の段部１１ａより引き上げて取り外す。次に、ナット体１２を緩めボルトセパレータ１０より取り外し、次に横バタ支持体１１を緩めボルトセパレータ１０から取り外し、次にボルトセパレータ１０を引き抜く。最後に、当て板６、６を取り除くことによって完成する。当て板支持部材１Ａ、１Ｂおよび間隔規制管９は、布基礎中に埋め殺しとなる。
以上のように組立てられた外回り用型枠２０にコンクリートが打設され、外回り布基礎１８Ａとベース基礎１７が構築された様子が図９によくあらわれており、また、組立てられた間仕切用型枠（中通り型枠）３０にコンクリートが打設され、間仕切布基礎（中通り布基礎）１８Ｂとベース基礎１７が構築された様子が図１０によくあらわれている。
【００３２】
以上の通り、この考案のベタ基礎型枠によれば、先ず、図１１（ａ）に示すように地業１６を施工し、次に、図１１（ｂ）に示すように地業１６の上に鉄筋１６と、外回り用型枠２０と、間仕切用型枠（中通り型枠）３０とを組立て、次に、図１１（ｃ）に示すようにこの型枠２０と３０とベース基礎１７とを同時にコンクリート打設して完成することができる。これに対し、図１２（ａ）〜（ｅ）に示す従来例は、先ず、図１２（ａ）から（ｂ）に示すように基礎を形成すべき地業１６に鉄筋１５を配筋し、次に同図（ｃ）に示すようにコンクリートを打設してベース基礎１７を形成し、一定の養生期間を持って打設したコンクリートが固化したら、同図（ｄ）に示すようにそのベース基礎１７の上に布基礎用の型枠１９を配置し、最後に同図（ｅ）に示すようにこの型枠１９にコンクリートを打設することによって布基礎１８Ａ、１８Ｂを構築している。
従って、図１１（ａ）〜（ｃ）に示すこの考案の施工工程と、図１２（ａ）〜（ｅ）に示す従来例との工程を比較すると、この考案での工程が少なく、ベース基礎の養生期間も不要のことから、はるかに短時間で施工できることが理解できる。
【００３３】
また、従来例はベース基礎１７として打設したコンクリートが固化した後に、布基礎１８Ａ、１８Ｂとしてのコンクリートを打設するので、ベース基礎１７と布基礎１８Ａ、１８Ｂとの境目に、継ぎ目が生ずるが、この考案ではベース基礎１７のコンクリート打設と、布基礎１８Ａ、１８Ｂのコンクリート打設が、同時（少なくともベース基礎１７として打設したコンクリートと、布基礎１８Ａ、１８Ｂとして打設したコンクリートが未硬化状態の時）に施工することができるので、ベース基礎１７のコンクリートと布基礎１８Ａ、１８Ｂとのコンクリートが互いに結合し、継ぎ目が生じなくなり欠陥部位にならないこともよく理解できる。
しかも、この考案のベタ基礎型枠は、容易に組立てが可能で施工性もよく、保持部材８および横バタ１３で型枠を強固に保持するので、打設したコンクリートにも対抗して正確な布基礎が形成できることとなる。
【００３４】
なお、前記実施の形態は、この考案を制限するものではなく、この考案は要旨を逸脱しない範囲において種々の変形が許容される。
【図面の簡単な説明】
【００３５】
【図１】この考案の実施の形態を示すベタ基礎型枠の分解斜視図である。
【図２】外回り用型枠としての当て板支持部材を示す斜視図である。
【図３】間仕切用型枠（中通り型枠）としての当て板支持部材を示す斜視図である。
【図４】保持部材を示す斜視図である。
【図５】他の保持部材を示す部分断面図である。
【図６】ベタ基礎型枠の組立て工程を工程順（ａ）（ｂ）（ｃ）（ｄ）（ｆ）（ｇ）に示す説明斜視図である。
【図７】組立てたベタ基礎型枠を示す斜視図である。
【図８】組立てた外回り用型枠にコンクリートが打設された状態を示す斜視図である。
【図９】組立てた外回り用型枠にコンクリートが打設された状態を示す断面図である
【図１０】組立てた間仕切用型枠（中通り型枠）にコンクリートが打設された状態を示す断面図である。
【図１１】ベタ基礎の施工工程を工程順（ａ）（ｂ）（ｃ）に示す断面図である。
【図１２】従来のベタ基礎の施工工程を工程順（ａ）（ｂ）（ｃ）（ｄ）（ｅ）に示す断面説明図である。
【符号の説明】
【００３６】
１  当て板支持部材
１Ａ  外回り用型枠としての当て板支持部材
１Ｂ  間仕切用型枠（中通り型枠）としての当て板支持部材
２  台座板
２ａ  ピン孔
３  支脚部
４、５、４０、５０  嵌合部
６  当て板
７  孔
８  保持部材
９  間隔規制管
１０  ボルトセパレータ
１１  横バタ支持体
１１ａ  段部
１１ｄ  螺孔
１１ｅ  貫通孔
１２  ナット体
１３  横バタ
１４  巾止め部材
１４ｂ  係合部
１５  鉄筋
１６  地業
１７  ベース基礎
１８Ａ  外回り布基礎
１８Ｂ  間仕切布基礎（中通り布基礎）
２０  外回り用型枠
３０  間仕切用型枠（中通り型枠）
【図１】
0003132632.tif 000003
【図２】
0003132632.tif 000004
【図３】
0003132632.tif 000005
【図４】
0003132632.tif 000006
【図５】
0003132632.tif 000007
【図６】
0003132632.tif 000008
【図７】
0003132632.tif 000009
【図８】
0003132632.tif 000010
【図９】
0003132632.tif 000011
【図１０】
0003132632.tif 000012
【図１１】
0003132632.tif 000013
【図１２】
0003132632.tif 000014